(57)【要約】【課題】電子データの表示装置において、簡単かつ直感的にわかり易い動作で、表示するページを変更可能とすること。【解決手段】表示装置１は、表示装置１を裏返す動作に対応して、表示されるページが変更される。したがって、簡単かつ直感的にわかり易い動作で、表示しているページを変更することができる。また、次の操作を予測して、表示すべきページを裏面に予め表示しておくことができるため、ページをめくる動作が行われたタイミングと、表示されるタイミングとの間でタイムラグが生ずることを防止できる。さらに、一度の操作で電子データの所定の区切りまでページを変化させることができるため、電子データを表示する装置の特長を生かしつつ、簡単な操作でページをめくる方法を実現することができる。【選択図】        図１
2004213558.tif 000002
【特許請求の範囲】
【請求項１】
表裏面を有する外観構成をなし、該表裏面の少なくとも一方に電子データの表示面を備える表示装置であって、
自装置全体の姿勢変化を検出する検出手段と、
前記検出手段によって検出された所定の姿勢変化に対応して、前記表示面に表示するページを変更可能なページ変更手段と、
を備えることを特徴とする表示装置。
【請求項２】
前記表示面を表裏面それぞれに備え、
前記検出手段は、自装置が裏返される動作に基づく姿勢変化を検出し、
前記ページ変更手段は、裏返されることによって視認対象となる表示面に、所定ページを表示することを特徴とする請求項１記載の表示装置。
【請求項３】
前記検出手段は、自装置が裏返された回転軸に対し、裏返された回転方向を検出し、
前記ページ変更手段は、検出された回転方向に対応して、表示するページを順方向あるいは逆方向のいずれかに変更することを特徴とする請求項２記載の表示装置。
【請求項４】
前記検出手段は、自装置が裏返された回転軸の向きを検出し、
前記ページ変更手段は、検出された回転軸の向きに対応して、所定の区分を単位として、表示するページを変更することを特徴とする請求項２または３記載の表示装置。
【請求項５】
表裏面を有する外観構成をなし、該表裏面の少なくとも一方に表示面を備える構成装置を複数結合させて構成された表示装置であって、
前記複数の構成装置の姿勢変化を検出する検出手段と、
前記検出手段によって検出された所定の姿勢変化に対応して、視認対象となる表示面を有する構成装置に、他の構成装置と対応させて所定のページを表示させるページ変更手段と、
を備えることを特徴とする表示装置。
【請求項６】
前記検出手段は、前記複数の構成装置が結合された部分において、構成装置間の相対位置関係を検出することにより、構成装置間の相対的な姿勢変化を検出することを特徴とする請求項５記載の表示装置。
【請求項７】
前記検出手段は、各構成装置において検出した該装置の姿勢変化に基づいて、構成装置間の相対的な姿勢変化を検出することを特徴とする請求項５記載の表示装置。
【請求項８】
前記構成装置を少なくとも３つ備え、該構成装置を循環的にめくることが可能な構成を有し、
前記検出手段は、該構成装置をめくる動作に基づく姿勢変化を検出し、
前記ページ変更手段は、該構成装置が順次めくられることによって順に視認対象となる表示面に、循環的に所定のページを表示可能であることを特徴とする請求項５〜７のいずれかに記載の表示装置。
【請求項９】
前記検出手段は、前記構成装置をめくる動作の方向を検出し、
前記ページ変更手段は、検出されためくる動作の方向に対応して、前記視認対象となる表示面に表示するページを、順方向あるいは逆方向のいずれかに変更することを特徴とする請求項８記載の表示装置。
【請求項１０】
前記複数の構成装置は、前記表示面を表裏面の一方にのみ備え、前記ページ変更手段は、視認対象となる表示面を表示している構成装置以外の構成装置を、視認対象となる表示面に表示されたページの前後のページを表示するための準備状態とすることを特徴とする請求項５〜９のいずれかに記載の表示装置。
【請求項１１】
前記複数の構成装置は、前記表示面を表裏面の両方に備え、前記複数の構成装置が順次見開きの状態とされることによって順に視認対象となる表示面に、循環的に所定のページを表示可能であることを特徴とする請求項５〜９のいずれかに記載の表示装置。
【請求項１２】
前記複数の構成装置のうち最上部に位置する構成装置が、基準面に対して所定角度範囲に保持されることに対応して、その保持した状態において視認対象となる表示面に複数ページを連続的に表示することを特徴とする請求項５〜１１のいずれかに記載の表示装置。
【発明の詳細な説明】
【０００１】
【発明の属する技術分野】
本発明は、情報を表示可能な表示面を有する表示装置に関する。
【０００２】
【従来の技術】
現在、電子化された書籍（電子ブック）等の電子データを表示する携帯型の表示装置においては、異なるページを表示させるための指示入力を行う方法として、ハードウェアのボタンを備えておき、あるいは、タッチタブレット上にソフトウェアボタンを表示し、そのボタンの押下に対応して、ページを変更するといったことが行われている。
【０００３】
一方、従来、綴じられた書籍の異なるページを見る際にはページを“めくる”動作を行っている。あるいは、リーフレットやパンフレット等、両面に印刷された印刷物からなる書類においては、異なるページを見る際に、裏返す動作を行う場合もある。
そのため、電子ブック等のページを変更する際に、ボタンを押下して異なるページを表示させる動作には、使用者が違和感を覚える場合があった。また、必ずボタンを操作しなければならないことから、煩雑な動作を要すると言う問題もあった。
【０００４】
そこで、ボタンを押下する方法以外で、電子ブック等のページをめくる（異なるページを表示させる）方法が考案されている。
例えば、特開平１１−２４２５３９号公報には、タッチパネルに指示物を接触させて滑らせることにより電子ブック等のページをめくる動作を行ったり、あるいは、傾きセンサを備え、折り畳み式の表示装置を一旦閉じて開くことにより電子ブック等のページをめくる動作を行ったりする技術が開示されている。
【０００５】
【特許文献１】
特開平１１−２４２５３９号公報
【０００６】
【発明が解決しようとする課題】
しかしながら、特開平１１−２４２５３９号公報に記載された技術は、タッチパネルに指示物を接触させて滑らせる動作や、表示装置の開閉動作が必要であり、依然として、書籍をめくる動作に比べ煩雑なものとなっていた。また、操作方法が使用者にとってわかり易いものではない場合があった。
【０００７】
なお、Ａ４版程度の大きさを有する薄い表示装置等においては、リーフレット等の書類に近い使用感覚を有するため、特開平１１−２４２５３９号公報に記載されたようなページをめくる動作が、必ずしも自然な動作とは感じられない場合もある。
本発明の課題は、電子データの表示装置において、簡単かつ直感的にわかり易い動作で、表示するページを変更可能とすることである。
【０００８】
【課題を解決するための手段】
以上の課題を解決するため、本発明は、
表裏面（例えば、図１に示す表示装置１のおもて面および裏面）を有する外観構成をなし、該表裏面の少なくとも一方に電子データの表示面（例えば、図２の表示部４０）を備える表示装置であって、自装置全体の姿勢変化（例えば、裏返される姿勢変化等）を検出する検出手段（例えば、図２の動作検出部５０およびＣＰＵ１０）と、前記検出手段によって検出された所定の姿勢変化（例えば、裏返される姿勢変化）に対応して、前記表示面に表示するページを変更可能なページ変更手段（例えば、図２のＣＰＵ１０）とを備えることを特徴としている。
【０００９】
また、前記表示面を表裏面それぞれに備え、前記検出手段は、自装置が裏返される動作に基づく姿勢変化を検出し、前記ページ変更手段は、裏返されることによって視認対象となる表示面（例えば、発明の実施の形態中の「視認面」）に、所定ページを表示することを特徴としている。
また、前記検出手段は、自装置が裏返された回転軸に対し、裏返された回転方向（例えば、右回転あるいは左回転等）を検出し、前記ページ変更手段は、検出された回転方向に対応して、表示するページを順方向あるいは逆方向のいずれかに変更することを特徴としている。
【００１０】
また、前記検出手段は、自装置が裏返された回転軸の向き（例えば、図３および図４のＸ軸の向きあるいはＹ軸の向き）を検出し、前記ページ変更手段は、検出された回転軸の向きに対応して、所定の区分（例えば、電子データが小説等の書籍データである場合には、章ごと等）を単位として、表示するページを変更することを特徴としている。
【００１１】
また、本発明は、
表裏面を有する外観構成をなし、該表裏面の少なくとも一方に表示面を備える構成装置（例えば、図７の構成装置２ａ〜２ｃ）を複数結合させて構成された表示装置であって、前記複数の構成装置の姿勢変化を検出する検出手段と、前記検出手段によって検出された所定の姿勢変化に対応して、視認対象となる表示面を有する構成装置（例えば、図８および図９において、中間に位置する構成装置）に、他の構成装置と対応させて所定のページを表示させるページ変更手段とを備えることを特徴としている。
【００１２】
即ち、構成装置がめくられた場合等にも、複数の構成装置が互いに連携することにより、視認対象となる表示面として順次表出する構成装置が連続するページを順に表示可能である。
また、前記検出手段は、前記複数の構成装置が結合された部分（例えば、図７のヒンジ部分等）において、構成装置間の相対位置関係を検出することにより、構成装置間の相対的な姿勢変化を検出することを特徴としている。
【００１３】
また、前記検出手段は、各構成装置において検出した該装置の姿勢変化に基づいて、構成装置間の相対的な姿勢変化を検出することを特徴としている。
即ち、各構成装置がそれぞれ自装置の姿勢変化を検出し、それらの相対変化を算出することにより、構成装置間の相対的な姿勢変化が検出可能である。
また、前記構成装置を少なくとも３つ備え、該構成装置を循環的にめくることが可能な構成（例えば、リング状の部材で各構成装置を綴じた構成等）を有し、前記検出手段は、該構成装置をめくる動作に基づく姿勢変化を検出し、前記ページ変更手段は、該構成装置が順次めくられることによって順に視認対象となる表示面に、循環的に所定のページを表示可能であることを特徴としている。
【００１４】
即ち、複数の構成装置を限りなくめくっていくことが可能な構成であり、めくることに対応して、視認対象となる表示面に順次、連続するページが表示されることとなる。
また、前記検出手段は、前記構成装置をめくる動作の方向を検出し、前記ページ変更手段は、検出されためくる動作の方向に対応して、前記視認対象となる表示面に表示するページを、順方向あるいは逆方向のいずれかに変更することを特徴としている。
【００１５】
また、前記複数の構成装置は、前記表示面を表裏面の一方にのみ備え、前記ページ変更手段は、視認対象となる表示面を表示している構成装置以外の構成装置を、視認対象となる表示面に表示されたページの前後のページを表示するための準備状態（例えば、予め前後のページを表示する状態、あるいは、表示すべきデータを生成して記憶しておく状態等）とすることを特徴としている。
【００１６】
即ち、視認対象となる表示面の前後のページを表示することとなる構成装置が、それぞれのページを迅速に表示可能な状態とされる。
また、前記複数の構成装置は、前記表示面を表裏面の両方に備え、前記複数の構成装置が順次見開きの状態とされることによって順に視認対象となる表示面に、循環的に所定のページを表示可能であることを特徴としている。
【００１７】
また、前記複数の構成装置のうち最上部に位置する構成装置が、基準面に対して所定角度範囲に保持されることに対応して、その保持した状態において視認対象となる表示面に複数ページを連続的に表示することを特徴としている。
即ち、所定の操作を行うことにより、複数ページを順送りにめくっていくことが可能である。
【００１８】
本発明によれば、表示装置に対し、所定の姿勢変化を与えることにより、表示されるページが変更される。
したがって、簡単かつ直感的にわかり易い動作で、表示しているページを変更することができる。
【００１９】
【発明の実施の形態】
以下、図を参照して本発明に係る表示装置の実施の形態を説明する。
（第１の実施の形態）
初めに、本発明を適用した表示装置の第１の実施の形態について説明する。
まず、構成を説明する。
【００２０】
図１は、本実施の形態に係る表示装置１の外観図である。
図１において、表示装置１は、電子ペーパーあるいは液晶パネル等の電子表示媒体を含んで構成され、おもて面および裏面の両方に情報を表示可能な構成である。また、図１において、表示装置１は、薄い板状の装置として構成されている。そして、表示装置１は、電源投入時におもて面が表れている向きを基準として、以後、ページをめくる動作が行われた場合に、所定の電子データを表示する。
【００２１】
なお、図１においては、表示装置１が所定の電子データを表示した状態を表している。
図２は、表示装置１の機能構成を示すブロック図である。
図２において、表示装置１は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）２０と、ＲＡＭ（Ｒａｎｄｏｍ  Ａｃｃｅｓｓ  Ｍｅｍｏｒｙ）３０と、表示部４０と、動作検出部５０とを含んで構成される。なお、表示装置１に情報を入力したり、所定の指示入力を行うための入力部を適宜設けることとしてもよい。
【００２２】
ＣＰＵ１０は、表示装置１全体を制御するものであり、例えば、ＲＯＭ１０等に記憶された電子データをページ単位で表示部４０に表示する。
また、ＣＰＵ１０は、動作検出部５０によって検出された表示装置１の姿勢変化を示す検出信号に基づいて、ページをめくる動作（ここでは、表示装置１が裏返され、表裏が交代される動作）が行われたか否かを認識する。そして、ＣＰＵ１０は、ページをめくる動作が行われたことに対応して、表示部４０に所定のページ（例えば、次のページあるいは前のページ等）を表示させる。
【００２３】
ＲＯＭ２０は、フラッシュＲＯＭ等の不揮発性のメモリによって構成され、表示装置１を制御するための種々のプログラムや、表示対象となる電子データ等の各種データを記憶する。なお、ＲＯＭ２０を着脱可能な記憶媒体としておき、ＲＯＭ２０を交換することにより、表示装置１に表示させる電子データを変更できる構成とすることが可能である。
【００２４】
ＲＡＭ３０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性のメモリによって構成され、表示装置１が動作する際に生成される種々のデータを一時的に保持する。
表示部４０は、電子ペーパーや液晶パネル等、薄型の表示媒体によって構成され、表示装置１のおもて面および裏面にそれぞれ１枚ずつの表示面を有している。
【００２５】
また、表示部４０において、おもて面の表示面が基準として設定されており、電源投入時には、使用者がおもて面を見ていることを前提として、ページの表示を行う。
動作検出部５０は、表示装置１が操作されることに基づく姿勢変化を検出可能なセンサであり、表示装置１が裏返されることにより表裏が交代したことを検出可能とするものである。具体的には、動作検出部５０によって検出された表示装置１の姿勢変化を示す検出信号がＣＰＵ１０に出力され、ＣＰＵ１０が、表示装置１の姿勢変化を認識する。
【００２６】
動作検出部５０については、例えば、加速度センサを表示装置１の四隅に備えておき、各センサが検出した加速度の関係から表示装置１自体の回転操作（使用者が表示装置１を裏返すこと）を検出することが可能である。
また、加速度センサ以外であっても、ジャイロセンサ、磁気センサ等によって表示装置１に対して行われた操作を検出可能である。特に、これらのセンサを組み合わせることにより物体の絶対角度を検出可能な傾斜センサが知られており、傾斜センサを用いることにより、表示装置１の絶対的な姿勢を正確に把握することが可能となる。
【００２７】
なお、表示装置１の用途を、机上等の台に置いて使用するものに限定する場合、下面は台に密着することから遮光され、上面は一定の光を受けると考えられる。そのため、このような場合には、おもて面および裏面の一方あるいは両方に光センサを備えておき、明るいと判定される側の面をおもて面とすることが可能である。
【００２８】
次に、動作を説明する。
図３および図４は、表示装置１が使用される場合の動作を示す説明図である。なお、図３および図４においては、電子データとしてアルファベットを表示する場合を例に挙げて説明する。
図３および図４においては、表示装置１を上面長方形の板状体として模式的に表しており、説明のために、長辺の１つに沿ってＸ軸、短辺の１つに沿ってＹ軸を設定する。
【００２９】
まず、図３（ａ）に示すように、初期状態において、おもて面に“ＡＢＣＤＥＦＧ”の文字が表示されている。このとき、使用者はおもて面を見ている。なお以下、使用者が見ている側の面を「視認面」と言う。
そして、使用者が表示装置１をＹ軸の周りに１８０度回転する（ここでは左回転とする）と、図３（ａ）において視認面でなかった裏面が視認面として表れ、図３（ｂ）に示すように、“ＡＢＣＤＥＦＧ”に引き続くアルファベット“ＨＩＪＫＬＭＮ”が、視認面に表示される。
【００３０】
また、このとき、表示装置１をＹ軸の周りに回転する方向に応じて、例えば、右回転なら順方向にページを送り、左回転なら逆方向にページを戻すといったような制御を行うことが可能である。
即ち、図４（ａ）に示すように、視認面である裏面にアルファベット“ＨＩＪＫＬＭＮ”の文字が表示されている状態で、表示装置１をＹ軸の周りに、１８０度右回転したとする。
【００３１】
すると、図４（ｂ）に示すように、“ＨＩＪＫＬＭＮ”の前に続くアルファベット“ＡＢＣＤＥＦＧ”が、新たに視認面となったおもて面に表示される。
さらに、表示装置１の回転される方向を予測して、予め視認面でない面に次のページを表示させておくことも可能である。
例えば、順方向に次々とページが送られている場合に、視認面でない面に次のページを予め描画しておいたり、反対に、逆方向に次々とページが戻されている場合に、視認面でない面に前のページを予め描画しておくこと等が可能である。
【００３２】
このような処理を行うことによって、使用者が表示装置１を回転させてページをめくった場合に、視認面にページを描画するための遅延時間（タイムラグ）が発生することを防止できる。
なお、この場合、めくる方向を反転すると、使用者が見ていないと想定される面（視認面でない面）では、表示されるページが３ページ変化することとなるため、使用者は、表示装置１において適切な面を見ている必要がある。
【００３３】
したがって、使用者が見るべき面を、ＬＥＤ（Ｌｉｇｈｔ  Ｅｍｉｔｔｉｎｇ  Ｄｉｏｄｅ）等によって指示することとしてもよい。
また、図５および図６に示すように、表示装置１をＸ軸の周りに回転させることにより、小説の章ごとあるいは所定ページごと等、電子データの所定の区切りまでページを変化させることも可能である。
【００３４】
例えば、図５（ａ）に示すように、視認面であるおもて面に“ＡＢＣＤＥＦＧ”の文字が表示されている状態において、表示装置１をＸ軸の周りに、所定方向に回転させたとする。
すると、図５（ｂ）に示すように、表示対象である電子データの末尾である“ＵＶＷＸＹＺ”が、新たに視認面となった裏面に表示される。
【００３５】
また、逆に、図６（ａ）に示すように、視認面である裏面に“ＵＶＷＸＹＺ”の文字が表示されている状態において、表示装置１をＸ軸の周りに、図５の場合と逆方向に回転させる。
すると、図６（ｂ）に示すように、表示対象である電子データの冒頭である“ＡＢＣＤＥＦＧ”が、新たに視認面となったおもて面に表示される。
【００３６】
このような処理を行うことにより、複数ページを１まとまりとしてページをめくることが可能となり、使用者がページをめくるための操作性が向上する。
以上のように、本実施の形態に係る表示装置１は、表示装置１を裏返す動作に対応して、表示されるページが変更される。
したがって、簡単かつ直感的にわかり易い動作で、表示しているページを変更することができる。
【００３７】
また、次の操作を予測して、表示すべきページを裏面に予め表示しておくことができるため、ページをめくる動作が行われたタイミングと、表示されるタイミングとの間でタイムラグが生ずることを防止できる。
さらに、一度の操作で電子データの所定の区切りまでページを変化させることができるため、電子データを表示する装置の特長を生かしつつ、簡単な操作でページをめくる方法を実現することができる。
（第２の実施の形態）
次に、本発明に係る表示装置の第２の実施の形態について説明する。
【００３８】
まず、構成を説明する。
図７は、本実施の形態に係る表示装置２の外観図である。
図７において、表示装置２は、一方の面に表示媒体を有する３つの板状の装置（以下、３つの装置をそれぞれ構成装置２ａ〜２ｃと言う。）が、同一軸を中心に回転可能に結合された構成であり、この結合部分を介して、構成装置間の通信が可能である。
【００３９】
なお、構成装置２ａ〜２ｃの機能構成は、表示部４０が１つの表示面（おもて面）のみを有し、一方の面にのみ情報を表示可能である点と、構成装置間がバス等を介して通信可能である点を除き、第１の実施の形態における表示装置１の構成とほぼ同様である。
したがって、構成装置２ａ〜２ｃそれぞれの機能構成については説明を省略し、表示装置２全体の構成について説明する。
【００４０】
図８および図９は、表示装置２の構成を示す図である。
図８および図９において、構成装置２ａ〜２ｃは、表示面が同じ向きとなるように結合されており、リングに綴じられたルーズリーフのように、次々とめくることによって、構成装置２ａ〜２ｃの表示面が循環的に表れる構成である。
即ち、表示装置２は、図８に示すように、最上面に位置する構成装置を最下面にめくったり、図９に示すように、最下面に位置する構成装置を最上面にめくったりすることができる構成を有する。
【００４１】
さらに、表示装置２は、最上面に位置する構成装置もしくは最下面に位置する構成装置のいずれかのみをめくることができる構成とされている。
そして、表示装置２においては、使用者がページを順方向にめくる場合（最上面の構成装置が最下面に送られる場合）に備えて中間に位置する構成装置は、最上面の構成装置が表示しているページの次のページを表示している。また、表示装置２において、使用者がページを逆方向にめくる場合（最下面の構成装置が最上面に戻される場合）に備えて最下面に位置する構成装置は、最上面の構成装置が表示しているページの前のページを表示している。
【００４２】
さらに、表示装置２には、基準面が設定されており、基準面として設定する面は、例えば、「中間に位置する構成装置」および「最上面もしくは最下面の構成装置のうちめくられていないもの」が接した状態で保持されている面とすることが可能である。
そして、表示装置２は、基準面とめくられた構成装置とがなす角度（以下、「めくり角」と言う。）が所定の角度範囲となった場合に、その構成装置がめくられたものと認識する。
【００４３】
なお、めくり角を検出する方法としては、回転軸において、構成装置２ａ〜２ｃの相対角度を検出する方法や、各構成装置が備える動作検出部によって、自装置の姿勢変化を検出した上で、各構成装置の相対角度を算出する方法等が可能である。
また、構成装置２ａ〜２ｃは、互いに連携しつつ電子データを表示するものであるため、いずれかの構成装置（ここでは、構成装置２ａとする。）のＣＰＵが主体的機能を備えることとして統括的な制御を行い、他の構成装置のＣＰＵは、従属的に機能するものとする。
【００４４】
次に、動作を説明する。
図１０は、表示装置２の第１の動作例を示すフローチャートである。図９に示すフローチャートは、表示装置２において、１ページ単位でページをめくる場合の例を示している。
なお、初期状態においては、構成装置２ａが最上面、構成装置２ｃが最下面、構成装置２ｂが中間に位置しているものとする。
【００４５】
図１０において、表示装置２は、電源投入と同時に、図１０に示す処理を開始し、初めに、構成装置２ａに第ｎページ（ｎは自然数であり、初期値として指定されているページ数）を表示させ、構成装置２ｂに第（ｎ＋１）ページを表示させ、構成装置２ｃに第（ｎ−１）ページを表示させる（ステップＳ１）。
次に、表示装置２は、使用者によって、いずれの方向にページをめくる動作が行われたかの判定を行う（ステップＳ２）。
【００４６】
具体的には、最上面あるいは最下面のいずれの構成装置が、基準面とめくり角をなす角度範囲に位置したか否かを判定する。
ステップＳ２において、ページが順方向にめくられたと判定した場合、表示装置２は、最上面となった構成装置２ｂに第（ｎ＋１）ページを表示させ、最下面となった構成装置２ａに第ｎページを表示させ、中間に位置することとなった構成装置２ｃに第（ｎ＋２）ページを表示させる（ステップＳ３）。
【００４７】
一方、ステップＳ２において、ページが逆方向にめくられたと判定した場合、表示装置２は、最上面となった構成装置２ｃに第（ｎ−１）ページを表示させ、最下面となった構成装置２ｂに第（ｎ−２）ページを表示させ、中間に位置することとなった構成装置２ａに第ｎページを表示させる（ステップＳ４）。
このように、ステップＳ３，Ｓ４の処理により、表示装置２は、最上面の構成装置が表示するページの前後のページを、他の構成装置に予め表示させてページめくりの準備をしている。
【００４８】
なお、最上面以外に位置する構成装置は、使用者に直接視認されるものではないため、表示するデータのみをＲＡＭに格納しておき、ページがめくられた時点で、直ちに表示を実行することとしてもよい。
ステップＳ３，Ｓ４の後、表示装置２は、ステップＳ２以降と同様の処理を繰り返す。
【００４９】
続いて、表示装置２において、ページをめくる場合の他の動作例について説明する。
図１１は、表示装置２の第２の動作例を示すフローチャートである。図１１に示すフローチャートは、表示装置２において、複数ページをめくる場合の例を示している。
【００５０】
なお、初期状態においては、構成装置２ａが最上面、構成装置２ｃが最下面、構成装置２ｂが中間に位置しているものとする。
図１１において、表示装置２は、電源投入と同時に、図１１に示す処理を開始し、初めに、構成装置２ａに第ｎページを表示させ、構成装置２ｂに第（ｎ＋１）ページを表示させ、構成装置２ｃに第（ｎ−１）ページを表示させる（ステップＳ１０１）。
【００５１】
次に、表示装置２は、使用者によって、いずれの方向に複数ページをめくる動作が行われたかの判定を行う（ステップＳ１０２）。
具体的には、最上面あるいは最下面のいずれの構成装置が、基準面とめくり角をなす角度範囲で保持されているか否かを判定する。
ステップＳ１０２において、順方向に複数ページがめくられたと判定した場合、表示装置２は、基準面とめくり角をなす角度範囲で保持されている最上面の構成装置２ａに第ｎページを表示させ、最下面の構成装置２ｃに第（ｎ−１）ページを表示させる。さらに、表示装置２は、中間に位置する構成装置２ｂに第（ｎ＋２）ページから順方向のページを連続して表示させる（ステップＳ１０３）。
【００５２】
次に、表示装置２は、めくり角に保持されている構成装置２ａがめくり角の角度範囲からいずれの方向（最下面側あるいは最上面側）に外され、複数ページをめくる操作が終了されたか否かの判定を行う（ステップＳ１０４）。
ステップＳ１０４において、構成装置２ａが最上面側に戻されたと判定した場合、表示装置２は、複数ページをめくる表示を行っていた構成装置２ｂに、構成装置２ａが最上面側に戻された際に表示していた第ｍページ（ｍは自然数）を表示させ、最上面の構成装置２ａに第（ｍ−１）ページを表示させ、最下面の構成装置２ｃに第（ｍ−２）ページを表示させる（ステップＳ１０５）。
【００５３】
一方、ステップＳ１０４において、構成装置２ａが最下面側に送られたと判定した場合、表示装置２は、複数ページを送る表示を行っていた構成装置２ｂに、構成装置２ａが最下面側に送られた際に表示していた第ｍページを表示させ、最下面となった構成装置２ａに第（ｍ−１）ページを表示させ、中間に位置することとなった構成装置２ｃに第（ｍ＋１）ページを表示させる（ステップＳ１０６）。
【００５４】
ステップＳ１０５，Ｓ１０６の後、表示装置２は、ステップＳ１０２以降と同様の処理を繰り返す。
また、ステップＳ１０２において、逆方向に複数ページがめくられたと判定した場合、表示装置２は、基準面とめくり角をなす角度範囲で保持されている構成装置２ｃに第（ｎ−１）ページを表示させ、最下面の構成装置２ｂに第（ｎ＋１）ページを表示させる。さらに、表示装置２は、中間に位置する構成装置２ａに第（ｎ−１）ページから逆方向のページを連続して表示させる（ステップＳ１０７）。
【００５５】
次に、表示装置２は、めくり角に保持されている構成装置２ｃがめくり角の角度範囲からいずれの方向に外され、複数ページをめくる操作が終了されたか否かの判定を行う（ステップＳ１０８）。
ステップＳ１０８において、構成装置２ｃが最上面側に送られたと判定した場合、表示装置２は、複数ページをめくる表示を行っていた構成装置２ａに、構成装置２ｃが最上面側に送られた際に表示していた第ｍページを表示させ、最上面となった構成装置２ｃに第（ｍ−１）ページを表示させ、最下面の構成装置２ｂに第（ｍ−２）ページを表示させる（ステップＳ１０９）。
【００５６】
一方、ステップＳ１０８において、構成装置２ｃが最下面側に戻されたと判定した場合、表示装置２は、複数ページをめくる表示を行っていた構成装置２ａに、構成装置２ｃが最下面側に戻された際に表示していた第ｍページを表示させ、最下面となった構成装置２ｃに第（ｍ−１）ページを表示させ、中間に位置することとなった構成装置２ｂに第（ｍ＋１）ページを表示させる（ステップＳ１１０）。
【００５７】
ステップＳ１０９，Ｓ１１０の後、表示装置２は、ステップＳ１０２以降と同様の処理を繰り返す。
このように、ステップＳ１０３，Ｓ１０７の処理により、中間に位置する構成装置おいて、複数のページが連続的にめくられていく状態を表示することができ、使用者は、一度の動作で複数ページをめくることができる。また、使用者は、任意のタイミングで、最上面の構成装置をめくり角の角度範囲から外すことにより、所望のページを停止状態で表示させることができる。
【００５８】
以上のように、本実施の形態に係る表示装置２は、３つの構成装置２ａ〜２ｃが、循環してめくり続けることができるように結合されている。
したがって、電子データを表示する表示装置２において、実際に書籍を読む場合と同様の動作により、ページをめくっていくことができ、簡単かつ直感的にわかり易い動作で表示するページを変更することができる。
【００５９】
また、最上面の構成装置が表示しているページの前後のページを、他の構成装置が迅速に表示できるように予め準備しているため、順方向あるいは逆方向のいずれにページをめくった場合であっても、ページが表示されるまでのタイムラグが発生することを防止できる。
さらに、表示装置２は、構成装置２ａ〜２ｃが一方の面にのみ情報を表示可能であるため、使用者が見ている表示面の裏側には情報が表示されない。そのため、電車の中等、周囲に他人が存在する場所でも、他人の目を気にすることなく電子データを閲覧することができる。
【００６０】
なお、本実施の形態においては、構成装置２ａ〜２ｃが一方の面にのみ情報を表示可能であるものとして説明したが、おもて面および裏面の両方に情報を表示可能であるものとしてもよい。
この場合、構成装置２ａ〜２ｃを見開きの状態で使用することができ、使用者が電子データを閲覧する際の利便性が向上する。
【００６１】
なお、表示装置２を見開きの状態で使用可能な構成とした場合であっても、見開きとせず、束ねられた状態のまま使用することとしてもよい。この場合、第１の実施の形態に示すように、表示装置２全体を裏返す動作によってページをめくるものとすることが可能である。
さらに、本実施の形態において、構成装置を３つであることとして説明したが、最上面の構成装置が表示するページの前後のページを予め表示しておくためには最低３つの構成装置を要するものである。
【００６２】
したがって、構成装置を４つ以上備えて表示装置２を構成することも可能である。
また、本実施の形態において、複数の構成装置を結合する方法として、同一軸を中心に、互いに回転可能に結合される方法を例に挙げて説明したが、複数の構成装置が互いに位置を交代できる構成であれば、例えば、構成装置を縦または横にスライドさせて、端部で前後が入れ替わるような機構を備えるようなものであってもよい。
【００６３】
この場合も、複数の構成装置の位置の交代に対応して、ページをめくる制御を行えばよい。
なお、本発明において、ページを順方向あるいは逆方向に変更する際には、コンテンツのページは循環式に繋がっているものと考える。即ち、コンテンツの最終ページを表示している状態で順方向へページを進める場合にはコンテンツの１ページ目が表示され、逆に、コンテンツの１ページ目を表示している状態で逆方向へページを戻す場合にはコンテンツの最終ページが表示される。
【００６４】
このような仕組みにより、ページをめくる操作の利便性をさらに向上させることが可能となる。
【図面の簡単な説明】
【図１】本実施の形態に係る表示装置１の外観図である。
【図２】表示装置１の機能構成を示すブロック図である。
【図３】１ページ単位でページをめくる場合の表示装置１の動作を示す説明図である。
【図４】１ページ単位でページをめくる場合の表示装置１の動作を示す説明図である。
【図５】所定区切り単位でページをめくる場合の表示装置１の動作を示す説明図である。
【図６】所定区切り単位でページをめくる場合の表示装置１の動作を示す説明図である。
【図７】本実施の形態に係る表示装置２の外観図である。
【図８】表示装置２の構成を示す図である。
【図９】表示装置２の構成を示す図である。
【図１０】表示装置２の第１の動作例を示すフローチャートである。
【図１１】表示装置２の第２の動作例を示すフローチャートである。
【符号の説明】
１，２  表示装置，１０  ＣＰＵ，２０  ＲＯＭ，３０  ＲＡＭ，４０  表示部，５０  動作検出部，２ａ〜２ｃ  構成装置
【図１】
2004213558.tif 000003
【図２】
2004213558.tif 000004
【図３】
2004213558.tif 000005
【図４】
2004213558.tif 000006
【図５】
2004213558.tif 000007
【図６】
2004213558.tif 000008
【図７】
2004213558.tif 000009
【図８】
2004213558.tif 000010
【図９】
2004213558.tif 000011
【図１０】
2004213558.tif 000012
【図１１】
2004213558.tif 000013